(57)【要約】      （修正有）【課題】生花が長期保存が可能で温度／光量によって変色する方法を提供する。【解決手段】生花を、蒸留水にアルコール、アセトン、グリセリンを混合した溶液に生花を沈殿させる脱水／脱色段階と、前記脱水／脱色段階を経た生花を蒸留水にエチルアルコール、メチルアルコール、イソプロピルアルコール、アセトン、アミノ酸を混合添加した溶液に沈殿させる保存処理段階と、前記保存処理された生花を乾燥する１次乾燥段階と、前記乾燥段階を経た生花を彩色する段階とを含む長期保存が可能で温度／光量によって変色する生花の製造方法。【選択図】図１
2010154845.tif 000002
【特許請求の範囲】
【請求項１】
保存期間が長くて温度／光量によって変色する夜光花を製造する方法であって、
生花を用いて前記生花を脱水／脱色する脱水／脱色段階と、
前記脱水／脱色段階を経た生花が長期間保存されるように保存処理する保存処理段階と、
前記保存処理された生花を乾燥する１次乾燥段階と、
前記乾燥段階を経た生花に彩色する段階と、
を含む、保存期間が長くて温度／光量によって変色する夜光花を製造する方法。
【請求項２】
前記脱水／脱色段階が、蒸留水１００重量部に対して、アルコール、アセトングリセリンをそれぞれ１０〜３０重量部混合して製造した混合溶液に、前記生花を沈殿させる段階である請求項１に記載の保存期間が長くて温度／光量によって変色する夜光花を製造する方法。
【請求項３】
前記保存処理蒸留水１００重量部を基準としてエチルアルコール、メチルアルコール、イソプロピルアルコール、アセトンをそれぞれ１０〜２０重量部混合し、これに５〜１５重量部のアミノ酸を添加して製造した混合溶液に沈殿させる請求項１に記載の保存期間が長くて温度／光量によって変色する夜光花を製造する方法。
【請求項４】
前記乾燥段階が自然乾燥段階であって、陰で２〜１０日間乾燥させる段階であることを特徴とする請求項１に記載の保存期間が長くて温度／光量によって変色する夜光花を製造する方法。
【請求項５】
前記乾燥段階が食器乾燥器に前記生花を乾燥させる段階であって、食器乾燥器内で、２０分単位で３〜６回乾燥させることを特徴とする請求項１に記載の保存期間が長くて温度／光量によって変色する夜光花を製造する方法。
【請求項６】
前記彩色段階が、ｍｅｋ（メチルエチルケトン）、ＩＰＡ（イソプルロピルアルコール）、エチルアルコールからなる群から選ばれるか、これらの組み合わせからなる溶媒１００重量部に対して、示光顔料、示温顔料から選ばれる一つ以上の顔料を前記溶媒１００重量部に対して１．５〜５重量部混合した彩色用混合溶液を均一に彩色する段階である請求項１に記載の保存期間が長くて温度／光量によって変色する夜光花を製造する方法。
【請求項７】
前記彩色用混合溶液が、前記溶媒１００重量部に対して、蓄光顔料１．５〜５重量部をさらに含む請求項６に記載の保存期間が長くて温度／光量によって変色する夜光花を製造する方法。
【請求項８】
それぞれの顔料等がより容易に安着するように接着剤が前記溶媒１００重量部に対して接着剤１〜３重量部をさらに混合することを特徴とする請求項７に記載の保存期間が長くて温度／光量によって変色する夜光花を製造する方法。
【請求項９】
前記溶媒１００重量部に対して、インク２〜５重量部をさらに含むことを特徴とする請求項１〜８のいずれか一項に記載の保存期間が長くて温度／光量によって変色する夜光花を製造する方法。
【発明の詳細な説明】
【技術分野】
【０００１】
本発明は、温度及び光量によって色相の変化が現われ、しかも長期間の保存が可能な夜光花を製造する方法に関する。
【背景技術】
【０００２】
本発明は、色が変わりながらも長期間の保存が可能な花に関するものであって、現在多様な模様と色を有する花が種類別に開発されている。特に、バラは花の女王と呼ばれ、その中でも多様な種が開発され、市場価値もかなり高い。バラの場合もその種類が非常に多く、花の色だけではなく形態、模様、香りまで様々な方法によって継続的に開発されてきた。しかし、一種の花がすべての色を有する場合は殆どない。例えば、バラやカーネーションは紫色から青色の品種がなく、菖蒲や竜胆には鮮やかな赤い品種がない。
黄色い品種がなかったバラは、交配を通じて市販されている黄色いバラが開発されているが、利用できる遺伝資源が限定される交配による育種では実現できる花の色には限界があった。
現在青色バラが存在するとも言えるが、その色は青よりは薄い紫色に近く、またより進歩された幾つかの形態の青いバラも開発されているが、かかる花もその色が完全に青いとは言い難い。
従来は交配を通じて花を所望の色の品種にするほか、染料を用いて花に色を加える方法があった。これは植物の毛細管現象を利用する方法であって、新鮮な花を準備してそれぞれの色を有するカラー液に４０℃位の暖かい水と促進液を混合して３０分〜２時間程度静置すれば、水が毛細管の中を上昇して葉まで到達し、花の色を所望の色に変える。しかし、かかる方法は単純に花の色のみを変えるだけで、花に化学物質を吸収させることで花の寿命が短縮するという結果をもたらす。
また、花の色を変化させるために示温顔料と示光顔料を花びらに直接着色したりしたが、かかる示温顔料と示光顔料が花びらに着色され難いだけではなく、着色されても花びらが腐る場合が多く、顔料層が厚いほど顔料が乾燥しにくく、着色されない場合が多かった。
本願出願人の韓国特許登録番号第１０−０８４０６９０号の「温度／光量によって変色する花を製造する方法」には、示温／示光顔料に油性ペイント、揮発性溶媒などを用いることによって変色する花を製造する方法が記載され、前記方法を用いて、温度／光量により様々な色に変わる花を製造することができた。しかし、前記方法を使用する際、生花を用いるため、保存期間があまり長くないという短所があった。保存期間が短い場合、商品として生産される花の流通期間を最大限短縮しなければ生花が萎れてしまい、在庫を引き受けなければならないという短所があった。
【先行技術文献】
【特許文献】
【０００３】
【特許文献１】韓国特許登録番号第１０−０８４０６９０号
【発明の概要】
【発明が解決しようとする課題】
【０００４】
本発明は、前記の短所を解決するために案出されたものであって、温度／光量によって変色し、しかも長期保存が可能な方法を提供することを目的とする。
【課題を解決するための手段】
【０００５】
前記の目的を達成するために、保存期間が長く、温度／光量によって変色する夜光花を製造する方法を提供する。前記方法は、生花を提供し、前記生花を脱水／脱色する脱水／脱色段階と、前記脱水／脱色段階を経た生花が長期間保存されるように保存処理を行う保存処理段階と、前記保存処理された生花を乾燥する１次乾燥段階と、前記乾燥段階を経た生花を彩色する段階と、を含み得る。
前記脱水／脱色段階は、蒸留水１００重量部に対してアルコール、アセトングリセリンをそれぞれ１０〜３０重量部混合して製造した混合溶液に、前記生花を沈殿させる段階であってもよい。
前記保存処理蒸留水１００重量部を基準として、エチルアルコール、メチルアルコール、イソプロピルアルコール、アセトンをそれぞれ１０〜２０重量部混合し、これに５〜１５重量部のアミノ酸を添加して製造した混合溶液に沈殿させ得る。
前記乾燥段階は、自然乾燥段階であり陰で２〜１０日間乾燥させ得る。
前記乾燥段階は、食器乾燥器に前記生花を乾燥させる段階であって、食器乾燥器内に２０分単位で３〜６回乾燥させ得る。
前記彩色段階は、ｍｅｋ（メチルエチルケトン）、ＩＰＡ（イソプルロピルアルコール）、エチルアルコールからなる群から選ばれるか、これらの組み合わせからなる溶媒１００重量部に対して示光顔料、示温顔料から選ばれる一つ以上の顔料を前記溶媒１００重量部に対して１．５〜５重量部混合した彩色用混合溶液を均一に彩色する段階でありうる。
前記彩色用混合溶液は、前記溶媒１００重量部に対して蓄光顔料１．５〜５重量部をさらに含み得る。
それぞれの顔料等がより容易に安着するように、接着剤が前記溶媒１００重量部に対して接着剤１〜３重量部をさらに混合してもよい。
前記溶媒１００重量部に対してインク２〜５重量部をさらに含み得る。
【発明の効果】
【０００６】
前記の方法によって、保存期間が長いだけではなく、光がない所でも発光して生花の質感をそのまま維持する花を提供する効果を奏する。
【図面の簡単な説明】
【０００７】
以下、添付した図面を参照して、本発明を詳細に説明する。前記の効果を達成するために、本発明は温度、日光によって変色し、しかも長期間保存が可能な花の製造方法を提供する。
【図１】本発明による花の加工方法を示す。
【発明を実施するための形態】
【０００８】
次の実施例では説明の便宜のため、バラを例として説明する。従って、バラでない他の花を用いる場合、沈殿時間や乾燥時間等で差が生じ得る。
まず、脱水／脱色段階では、バラの生花のうち約６０％以上開花したバラをアルコールとアセトン、グリセリン等を蒸留水と混合した混合溶液に約８時間位沈殿させ花にある水分と色を抜く。蒸留水１００重量部に対して、アルコール、アセトン、グリセリンをそれぞれ１０〜３０重量部混合する。それぞれの量が１０重量部に及ばない場合、使用効果が殆ど現れず、３０重量部を越える場合、生花の元々の感じを生かせない場合が多い。また、用いられる花の種類が同じ花だとしても、花びらの厚さ、品種によって脱色時間が変わる。
脱水／脱色過程を経る際、生花の質感をそのまま生かさなければならないが、エチルアルコール、メチルアルコール、イソプロピルアルコール、アセトンと、蒸留水及びアミノ酸とを混合した混合溶液に沈殿させる保存処理を行う。１次脱水／脱色過程で生花の感じが劣るため、保存段階で生花の感じを生かすようにし、アミノ酸を添加することで生花の感じをさらに生かすようにする。
蒸留水１００重量部を基準として、エチルアルコール、メチルアルコール、イソプロピルアルコール、アセトンをそれぞれ１０〜２０重量部混合し、これに５〜１５重量部のアミノ酸を添加して混合溶液を製造する。アミノ酸が５重量部以下におちる場合、使用効果が殆ど現れず、１５重量部を越える場合、花びらの機械的特性に問題が起こり得る。
保存処理段階を経た花は、乾燥段階を経るが、自然乾燥を行うこともでき、短時間の乾燥のため、食器乾燥器等を用いて乾燥することもできる。自然乾燥を行う場合、陰で約２〜１０日程度乾燥させ、食器乾燥器を用いる場合、一回に２０分ずつ食器乾燥器に入れてから取出することを３〜６回繰り返し、約２〜３時間乾燥させる。
脱水／脱色段階、保存処理段階、乾燥段階を経る花は、その品種と状態によってそれぞれの段階を経る時間を少しずつ調節する。
このような段階を経た花は、彩色段階で花に色を加える。示温顔料と、示光顔料、イソプロピルアルコール、ｍｅｋ（メチルエチルケトン）、ＩＰＡ（イソプルロピルアルコール）などを混合して塗布し、これに蓄光顔料を混合することによって暗い所でも長期間発光することができる。
示光顔料（ＰＬＡＳＯＬ ＰＨＯＴＯＣＨＲＯＭＩＣ ＣＯＬＯＲＳ）は日光や紫外線によって変色する顔料をいい、紫外線に露出すれば色が現われ、紫外線を遮断すれば色相が消える。かかる示光顔料は多様な溶剤性があるが、トルエン、キシレン（ｘｙｌｅｎｅ）、メチルエチルケトン（ｍｅｔｈｙｌ ｅｔｈｙｌ ｋｅｔｏｎｅ）、酢酸エチル（Ｅｔｈｙｌ ａｃｅｔａｔｅ）など一緒に用いてもよく、示光顔料どうしを組み合わせて他のカラー効果を得ることができ、示光顔料と一般顔料を混合しても他のカラーを現すことができ、示光顔料と一般顔料とを混合しても他のカラーを現すことができる。
示温顔料は温度によって色相が変わる顔料をいい、温度が上昇すると色が消え、温度が下がると元々の色に戻るものであって、例えば２０℃で変色するブルー示温顔料の場合、２０℃以下では青色と見えるが、２２℃になればカラーが消えるようになり、３１℃で変色するオレンジ示温顔料の場合、３１℃の熱を加える際には３５℃では完全に色相が消えるようになり、かかる顔料はヒトの身体温度によって変わる顔料であるため、体温によって変わる製品に適用する。かかる示温顔料や示光顔料は二つ以上の顔料を組み合わせ、他の色を組み合わせることによって他の効果を得ることが可能である。
蓄光顔料は日光と蛍光体などの光を吸収／蓄積し、暗闇でこれを徐々に放出／発光する性質を有する顔料をいい、吸収−蓄積−発光の過程が回数に制限なく可能であり、放射性物質を含まない。本発明に用いる蓄光顔料は硫化亜鉛、銅を主原料とするものである。
ｍｅｋ（メチルエチルケトン）、ＩＰＡ（イソプロピルアルコール）、エチルアルコールからなる群から選ばれるか、これらの組み合わせからなる溶媒１００重量部に対し、示光顔料、示温顔料、蓄光顔料などが組み合わされるか、これから選ばれる顔料を前記溶媒１００重量部に対して１．５〜５重量部混合して塗布するための液体を製造するが、これに様々な色を現すためのインクが溶媒１００重量部に対して２〜５重量部入れてもよく、それぞれの顔料等がより容易に安着するように接着剤が溶媒１００重量部に対して１〜３重量部さらに混合してもよい。特に、蓄光顔料が用いられない場合には接着剤を使用しなくてもよいが、蓄光顔料を用いて暗闇でもよく見える花を製造するためには、接着剤を用いて花びらの上に安静化するようにした方が良い。
メチルエチルケトンやＩＰＡ、エタノールなどは、前記顔料がよく混合されるようにするだけでなく、塗布された後に速やかに揮発され、顔料が花びらの上に安定できるようにする。
このように配合した液体は０．２ＭＭ〜１．０ｍｍの内径を有するノズルを用いて花びらに塗布するが、液体７ｃｃで約７０本位を塗布する。この時、花びらに薄く塗布されるようにスプレーガンやコンプレッサーを用いてもよい。より大内径のノズルを用いる場合には、液体の使用量が不要に多くなるだけではなく、花に塗布する厚さが厚くなり、温度／光量によって敏感に反応できなくなる傾向があり、０．２ｍｍ以下の内径を有するノズルを用いる場合には、充分に塗布されないという短所がある。
塗布後には、１０分ぐらい陰で乾燥させる２次乾燥過程を経る。
前記の方法によって製造された花は、赤、青、紫、桃色、緑、薄緑、栗色、黄色、橙色、藍色等、ほぼすべての色相を現すことが可能である。２０℃（以下、全部摂氏）で変わる赤色示温顔料と２５℃で変色する青色示温顔料と蓄光顔料を用いる場合、周りの温度が２５℃以上であれば白色を帯びるようになり、２０〜２５℃では青色を帯びるようになり、２０℃以下では紫色を帯びるようになるだけではなく、明かりが消えた状態では、蓄光顔料によって緑色に発光するようになる。
また、赤色の示光顔料と２５℃で変色する青色示温顔料と蓄光顔料とを混合する場合には、２５℃以上の気温では白色に変化するようになるが、２５℃以下では青色に変わるようになる。しかし、紫外線に晒されると赤色に変わるようになるだけでなく、夜間には蓄光によって発光するようになる。
従って、周りの温度／光量によって多様な色を帯びるようになり、様々な顔料を混合する場合、条件によって数十種類の形態に変わり得る。
【産業上の利用可能性】
【０００９】
このような方法によって彩色した花は、生花の質感をそのまま維持したまま温度及び光量により多様な色に変化し、その寿命が１年から長くは３年位まで長持ちできるだけではなく、暗闇の中でも輝くようにして、良い飾りになる。
【図１】
2010154845.tif 000003